(57)【要約】      （修正有）【課題】敷設帯のずれ移動やめくれを防止して固定効果が高く、安全性の高い敷設帯の固定具を提供する。【解決手段】敷設帯を固定するための固定具であって、１本の主脚部１１と、主脚部の上部から側方へ向けて張出した鉤部１２と、鉤部の自由端から主脚部の先端へ向けて延出した副脚部１３とを具備する主脚部１１は敷設帯を貫通して地中に貫入できる長さと強度を有する部位である。鉤部１２は敷設帯の表面を押さえる部位である。固定具１０の使用にあたり、主脚部１１と鉤部１２の角部や鉤部１２と副脚部１３の角部に応力が集中し易いため、これらの角部に幅広の補強部１５を形成するとともに、鉤部１２の内周面を内側に窪んだ円弧面１６として形成することが望ましい。副脚部１３は敷設帯の表面側に貫入させる部位で、鉤部１２による敷設帯の押さえ効果を高めるために機能する。【選択図】図２
0003166233.tif 000002
【実用新案登録請求の範囲】
【請求項１】
敷設帯を固定するための固定具であって、
１本の主脚部と、
主脚部の上部から側方へ向けて張出した鉤部と、
鉤部の自由端から主脚部の先端へ向けて延出した副脚部とを具備することを特徴とする、
敷設帯の固定具。
【請求項２】
請求項１において、前記副脚部の脚長が主脚部より短かい長さであることを特徴とする、敷設帯の固定具。
【請求項３】
請求項１において、前記副脚部の脚長が主脚部と同じ長さであることを特徴とする、敷設帯の固定具。
【請求項４】
請求項１乃至請求項３の何れか一項において、主脚部、鉤部、および副脚部を腐食分解性の廃棄物で一体に形成したことを特徴とする、敷設帯の固定具。
【考案の詳細な説明】
【技術分野】
【０００１】
本考案は植生シート、植生マット、切り芝、防草マット等の敷設帯を地面に固定するための固定具に関する。
【背景技術】
【０００２】
一般に、斜面に敷設した植生シートや切り芝等の敷設帯を固定するには、敷設帯を貫通できる長さの固定具を串刺している。
固定具には、竹材を幅２〜３ｃｍ、全長１８〜２０ｃｍの帯板状に加工した竹串と、針金をＵ字形等に屈曲した金属製の目串が知られている。竹串は切り芝等の重さと厚みのあるマット状の敷設帯の固定に用いられ、金属製の目串は植生シート等の軽くて薄い敷設帯の固定に用いられている。
【考案の開示】
【考案が解決しようとする課題】
【０００３】
（１）従来の竹串にあっては、敷設帯のずれ落ちに対しては機能するが、全体形状がフラットであるため、敷設帯のめくれ防止効果が十分ではなく、敷設作業中や敷設後に敷設帯がめくれ易い。
（２）敷設帯のずれ落ち防止のために竹串の上部を敷設帯の表面から数ｃｍ程突き出た状態で設置している。
敷設作業中にあっては作業者が竹串の突出部で躓き易く、また敷設後においては、繁茂植物に隠れた竹串を知らずに入り込んだ子供たち等が、竹串の突出部に引っ掛かって怪我をし易く、安全性に問題がある。
（３）金属製の目串は敷設帯のずれ落ち防止効果およびめくれ防止効果を発揮するが、金属製の目串が分解腐食するまでに２年〜３年もの長時間を要する。
（４）植生地帯を草刈機で除草する場合、誤って草刈機の回転刃が目串の頭部に触れると、引き抜かれた金属製の目串が不特定方向へ飛び出し、作業者や通行人等に大怪我を負わせる刺傷事故が毎年あとを絶たない。
【０００４】
本考案は以上の点に鑑みてなされたもので、その目的とするところは敷設帯の固定効果が高く、安全性の高い敷設帯の固定具を提供することにある。
【課題を解決するための手段】
【０００５】
本願の第１考案は、敷設帯を固定するための固定具であって、１本の主脚部と、主脚部の上部から側方へ向けて張出した鉤部と、鉤部の自由端から主脚部の先端へ向けて延出した副脚部とを具備することを特徴とする。
本願の第２考案は、前記第１考案において、前記副脚部の脚長が主脚部より短かい長さであることを特徴とする。
本願の第３考案は、前記第１考案において、前記副脚部の脚長が主脚部と同じ長さであることを特徴とする。
本願の第４考案は、前記第１考案乃至第３考案の何れかにおいて、主脚部、鉤部、および副脚部を腐食分解性の廃棄物で一体に形成したことを特徴とする。
【考案の効果】
【０００６】
＜１＞本考案に係る固定具は、主脚部と副脚部が距離を隔てて敷設帯に貫入するとともに、鉤部が敷設帯の表面を押圧するので、敷設帯の敷設作業中だけでなく、敷設後においても敷設帯のずれ移動と捲れを確実に防止できる。
＜２＞固定具の鉤部が敷設帯の表面側に食い込んで大きな突出物がないから、歩行中に固定具によって怪我をする危険性が少なくなる。
＜３＞草刈機で除草する際に誤って回転刃が固定具に触れても、固定具の頭部が切除されるだけで、固定具全体が引き抜かれることがない。
したがって、従来の金属製の目串のような刺傷事故を未然に防止できて安全である。
＜４＞固定具が腐朽製の素材で形成されていため、敷設帯の設置目的を終える頃に固定具が腐食して自然消滅するので、固定具が悪影響を及ぼすことがない。
【図面の簡単な説明】
【０００７】
【図１】実施例１に係る固定具を用いて敷設帯を固定した敷設現場の斜視図
【図２】実施例１に係る固定具の斜視図
【図３】敷設帯を固定した敷設現場の拡大断面図
【図４】固定具の一部が切除されたときの敷設現場の拡大断面図
【図５】実施例２に係る固定具の斜視図
【考案を実施するための最良の形態】
【０００８】
［実施例１］
以下、図１〜４を参照しながら本考案の実施例１について説明する。
【０００９】
＜１＞全体の概要
図１は本考案に係る固定具１０を敷設面２０に打設して敷設帯３０を固定した斜視図、図２は中間部を省略した固定具１０の斜視図、図３は固定具１０を用いて敷設帯３０を固定した斜面２０の縦断面図を示す。
【００１０】
敷設面２０は地盤が露出した切土斜面、法面等の斜面の他に平地を含む。
敷設帯３０は公知の植生シート、植生マット、切り芝、防草マット等を含む。
本例では２枚の生分解性シートの間に種子、肥料、土壌改良材等を挟持した養生シート３１の片面に自然の藁３２を付設した植生シートで構成する場合について説明する。
【００１１】
＜２＞固定具
図２に示すように、固定具１０は１本の主脚部１１と、主脚部１１の上部から側方へ向けて張出した鉤部１２と、鉤部１２の自由端から主脚部１１の先端へ向けて延出した副脚部１３とを有する。
固定具１０は単純な形状を呈するため作製が容易で低コストに製作できる。
固定具１０の素材としては、従来まで廃棄処分していた例えば竹材、間伐材等の腐食分解性の廃棄物を用いると、処分に苦慮していた廃棄材の有効活用が図れる。
固定具１０の素材の選定にあたっては、使途や設置現場等に応じて１、２年で腐朽する性質の素材を適宜選定するものとする。
【００１２】
＜２．１＞主脚部
主脚部１１は敷設帯３０を貫通して地中に貫入できる長さと強度を有する部位である。主脚部１１の先端部１４は尖鋭に形成することが望ましいが、敷設面２０が軟質の場合は尖鋭にしないでそのまま使用する。
主脚部１１の実用的な寸法を例示すると、幅が約５ｍｍ、全長が１５〜２０ｃｍである。
また主脚部１１の断面形状は特に制約がなく、図示した矩形断面のほかに円形断面であってもよい。
【００１３】
＜２．２＞鉤部
鉤部１２は敷設帯３０の表面を押さえる部位で、その張出し長さは適宜選択するが、実用的な張出し長さは１０ｍｍ〜１５ｍｍで十分である。
固定具１０の使用にあたり、主脚部１１と鉤部１２の角部や鉤部１２と副脚部１３の角部に応力が集中し易いため、これらの角部に幅広の補強部１５を形成するとともに、鉤部１２の内周面を内側に窪んだ円弧面１６として形成することが望ましい。
【００１４】
＜２．３＞副脚部
副脚部１３は敷設帯３０の表面側に貫入させる部位で、鉤部１２による敷設帯３０の押さえ効果を高めるために機能する。
本例では副脚部１３の脚長が主脚部１１より短かく、敷設帯３０のみに貫入可能な長さに設定してある。
【００１５】
＜３＞固定具の使用方法
つぎに固定具１０を用いた敷設帯３０の固定方法について説明する。
【００１６】
＜３．１＞固定具の打設
図１に示すように、斜面等の敷設面２０に敷設帯３０を展開して敷設した後、敷設帯３０の全面に亘って複数の固定具１０を串刺しする。
固定具１０は鉤部１２が敷設帯３０の表面に当接するまで、主脚部１１を敷設帯３０に貫通し、さらに敷設面２０に差し込む。
固定具１０の打設方法としては、敷設面２０が軟質地盤のときは人力により差し込み、敷設面２０が硬質地盤のときはハンマ等の打設具を使用して差し込む。
固定具１０はどんなに打ち込んでも、鉤部１２が敷設帯３０を貫入することがないので、熟練技術を有しない者でも簡単確実に固定具１０を設置することができる。
【００１７】
＜３．２＞敷設帯の固定作用
本考案に係る固定具１０は、主脚部１１と副脚部１３が距離を隔てて敷設帯３０に貫入するとともに、鉤部１２が敷設帯３０を敷設面２０に押し付けるので、敷設帯３０のずれ移動を効果的に阻止する。
【００１８】
固定具１０の打設に伴い、敷設帯３０に貫入させた両脚部１１，１３の間に位置する鉤部１２が、敷設帯３０の表面を押圧する。
そのため、敷設帯３０の敷設作業中だけでなく、敷設後においても敷設帯３０の捲れやずれ移動を確実に防止できる。
【００１９】
尚、固定具１０の打設にあたり、図３に拡大して示すように、鉤部１２を敷設帯３０の表面の藁３２群と直交する方向に向けて圧接させると、敷設帯３０の押さえ効果がよくなる。
【００２０】
＜３．３＞固定具の安全性
既述したように、固定具１０はその鉤部１２が敷設帯３０の表面側に食い込んで、敷設帯３０の表面から大きく飛び出した突起物がなくなる。
そのため、敷設帯３０の敷設作業中および敷設後において、歩行中に固定具１０によって怪我をするおそれがなくなる。
【００２１】
植生地帯を草刈機で除草する場合、誤って草刈機の回転刃が固定具１０に触れても、図４に二点差線で示すように固定具１０の頭部が切除されるだけで、固定具１０全体が引き抜かれることがない。
したがって、従来の金属製の目串のような刺傷事故を未然に防止できて安全である。
【００２２】
＜３．４＞固定具の腐食消滅
固定具１０が腐朽製の素材で形成されている。そのため、例えば、植物が根付くまでの養生期間を経過した場合のように、敷設帯３０の設置目的を終える頃になると、固定具１０が腐食して消滅する。
【００２３】
［実施例２］
以降に他の実施例について説明するが、その説明に際し、前記した実施例と同一の部位は同一の符号を付してその詳しい説明を省略する。
【００２４】
図５に他の固定具１０を示す。
本実施例の固定具１０は、先の実施例１と同様に１本の主脚部１１と、主脚部１１の上部から側方へ向けて張出した鉤部１２と、鉤部１２の自由端から主脚部１１の先端へ向けて延出した副脚部１３とを有するが、副脚部１３の脚長を主脚部１１とほぼ同じ長さに設定してある。
【００２５】
本実施例における固定具１０の作用効果は、基本的に実施例１とほぼ同じであるが、本実施例にあっては、敷設帯３０を貫通した主脚部１１と副脚部１３が共に、敷設面２０に貫入するので、敷設帯３０の固定効果が向上するだけでなく、竹材等の廃棄物の有効活用量が増すといった利点がある。
【符号の説明】
【００２６】
１０・・・・・固定具
１１・・・・・固定具の主脚部
１２・・・・・固定具の鉤部
１３・・・・・固定具の副脚部
２０・・・・・敷設面
３０・・・・・敷設帯
【図１】
0003166233.tif 000003
【図２】
0003166233.tif 000004
【図３】
0003166233.tif 000005
【図４】
0003166233.tif 000006
【図５】
0003166233.tif 000007